(57)【要約】【課題】電源装置の制御パラメータ調整作業を、当該の電源装置の回路構成や制御方法に依存せず安価に実現できるようにする。【解決手段】制御パラメータ調整装置３００で入力した制御パラメータとＬ行Ｋ列の２次元アドレスとでシリアル通信データビット列を作成して、デジタル信号処理装置２００に送信し、当該デジタル信号処理装置２００において、前記２次元アドレスを電源装置の制御パラメータＲＡＭのアドレスに変換して、当該アドレスに、受信した制御パラメータを加工し又は加工せずに書き込む。これは、Ｋ個の制御パラメータから制御パラメータ調整装置３００で選択された１又は２以上の有効な制御パラメータについて、順次所定の周期で繰り返し行われる。【選択図】図１
2014225991.tif 000002
【特許請求の範囲】
【請求項１】
電圧波形、電流波形をデジタル化した観測データと制御パラメータＲＡＭに保持された制御パラメータとを用いて所定項目の制御量を定めるよう制御される電源装置に付加される、デジタル信号処理装置であって、受信した第１のシリアル通信データビット列のＬ行Ｋ列（Ｌ，Ｋは正の整数）の２次元アドレスを前記電源装置に備えられる前記制御パラメータＲＡＭのアドレスに変換する制御パラメータＲＡＭアドレス変換テーブルを有し、該制御パラメータＲＡＭアドレス変換テーブルで変換された前記制御パラメータＲＡＭのアドレスに、前記第１のシリアル通信データビット列に含まれるデータビットの制御パラメータを書き込むデジタル信号処理装置と、
Ｋ個の制御パラメータを個々に任意に調整可能な制御パラメータ入力部と、該Ｋ個の制御パラメータのうちの１又は２以上の有効な制御パラメータを選択し１又は２以上の列番号に割り当てる第１の選択スイッチと、Ｌ通りのうちの１つを行番号として選択する第２の選択スイッチとを備え、前記第１の選択スイッチで選択された前記有効な制御パラメータのうちの１つをデータビットとし、前記第１の選択スイッチで選択された前記有効な制御パラメータのうちの１つに対応する列番号を列番号ビットとし、前記第２の選択スイッチで選択された行番号を行番号ビットとするように、前記第１のシリアル通信データビット列を、前記１又は２以上の有効な制御パラメータについて前記行番号を共通として所定の周期で順次作成して、前記デジタル信号処理装置に送信する制御パラメータ調整装置と、
を有することを特徴とする制御パラメータ調整システム。
【請求項２】
請求項１に記載の制御パラメータ調整システムにおいて、
前記デジタル信号処理装置は、前記第１のシリアル通信データビット列の前記２次元アドレスにより制御パラメータゲイン値を読み出す制御パラメータＲＡＭデータゲインテーブルと前記２次元アドレスにより制御パラメータオフセット値を読み出す制御パラメータＲＡＭデータオフセットテーブルの少なくとも一方をさらに有し、該読み出された制御パラメータゲイン値と制御パラメータオフセット値の少なくとも一方により、前記第１のシリアル通信データビット列の前記データビットの制御パラメータを加工して、前記制御パラメータＲＡＭの前記アドレスに書き込むことを特徴とする制御パラメータ調整システム。
【請求項３】
請求項１又は２に記載の制御パラメータ調整システムにおいて、
前記制御パラメータ調整装置は表示器を備え、
前記制御パラメータＲＡＭに書き込まれる制御パラメータが、前記制御パラメータ調整装置に送信されて前記表示器で表示されることを特徴とする制御パラメータ調整システム。
【請求項４】
請求項１、２又は３に記載の制御パラメータ調整システムにおいて、
前記デジタル信号処理装置は、前記制御パラメータ調整装置から受信した第２のシリアル通信データビット列の２次元アドレスを前記電源装置に備えられる書き換え可能な制御パラメータＲＯＭのアドレスに変換する制御パラメータＲＯＭアドレス変換テーブルをさらに有し、該制御パラメータＲＯＭアドレス変換テーブルで変換された前記制御パラメータＲＯＭのアドレスに、前記第２のシリアル通信データビット列に含まれるデータビットの制御パラメータを書き込み、
前記制御パラメータ調整装置は、前記第１の選択スイッチで選択された前記有効な制御パラメータのうちの１つをデータビットとし、前記第１の選択スイッチで選択された前記有効な制御パラメータのうちの１つに対応する列番号を列番号ビットとし、前記第２の選択スイッチで選択された行番号を行番号ビットとするように、前記第２のシリアル通信データビット列を、前記１又は２以上の有効な制御パラメータについて前記行番号を共通として所定の周期で順次作成して、前記デジタル信号処理装置に送信する、
ことを特徴とする制御パラメータ調整システム。
【請求項５】
請求項１、２、３又は４に記載の制御パラメータ調整システムにおいて、
前記デジタル信号処理装置は、前記電源装置における演算結果を保持する観測データＲＡＭ用の観測データＲＡＭアドレス変換テーブルをさらに有し、前記制御パラメータ調整装置から受信した第３のシリアル通信データビット列の行番号ビットの行番号を、前記観測データＲＡＭアドレス変換テーブルにより前記観測データＲＡＭのアドレスに変換し、当該アドレスにより前記観測データＲＡＭからＮ個（Ｎは正の整数）の観測データを順次読み出し、第４のシリアル通信データビット列のデータビットとして所定の周期で順次前記制御パラメータ調整装置に送信し、
前記制御パラメータ調整装置は、Ｍ通り（Ｍは正の整数）から１つの行番号を選択する第３のスイッチと、Ｎ個の観測データをアナログ信号に変換して出力する出力部を備え、前記第３のスイッチによって選択した行番号を行番号ビットとした前記第３のシリアル通信データビット列を作成して前記デジタル信号処理装置に送信し、前記デジタル信号処理装置から前記第４のシリアル通信データビット列を前記所定の周期で順次受信すると、当該順次受信したＮ個の前記第４のシリアル通信データビット列のデータビットの観測データを前記出力部でアナログ信号に変換してから前記所定の周期で順次外部に出力する、
ことを特徴とする制御パラメータ調整システム。
【発明の詳細な説明】
【技術分野】
【０００１】
本発明は、制御パラメータ調整装置と電源装置に備えられるデジタル信号処理装置とを具備し、制御パラメータ調整装置とデジタル信号処理装置との間をシリアル通信で接続した制御パラメータ調整システムに関する。
【背景技術】
【０００２】
スイッチング電源などの電源装置では、電源装置の入力電圧や入力電流、出力電圧や出力電流などを検出し、フィードバック制御やフィードフォワード制御によって、出力電圧や出力電流が所定値となるようにしている。近年は、デジタル技術の発達により、マイクロコンピュータやＤＳＰ（デジタル・シグナル・プロセッサ）などを含むデジタル信号処理装置と各種回路構成の電源装置に合わせて作成したソフトウエアとを使用して制御を行う電源装置も提案されている（例えば、特許文献１参照）。
【０００３】
電源装置では、所定のサンプリング周波数で電圧波形や電流波形などの入力アナログ信号をデジタル信号に変換した数値データと、ＲＯＭやＲＡＭなどのメモリやレジスタに保持された制御パラメータ（例えば、電源装置におけるＰＦＣの電流帰還のループゲイン値と積分ゲイン値、ＰＦＣの電圧帰還のループゲイン値と積分ゲイン値、ＤＣ−ＤＣコンバータの電圧帰還のループゲイン値と積分ゲイン値）とを用いて、数値演算により、出力電圧や出力電流を所定値にするための制御量を定めている。（例えば、特許文献２参照）。
【０００４】
制御パラメータの設定は、制御ソフトウエアの一部または全部を書き換えることで行われている。また、シリアル通信を介して、メモリやレジスタに保持された制御パラメータを書き換えることによっても行われている（例えば、特許文献３参照）。
【先行技術文献】
【特許文献】
【０００５】
【特許文献１】特開２００６−０８７１９２号公報
【特許文献２】特開２００８−１０９７２３号公報
【特許文献３】特開２０１２−１７５７８９号公報
【発明の概要】
【発明が解決しようとする課題】
【０００６】
このような制御パラメータの調整は、当該制御パラメータを例えばデフォルトで設定し、各種の入力電圧条件や負荷電流条件において電源装置を動作させた状態で、オシロスコープなどの計測表示装置で電圧波形や電流波形を観測評価して、その評価結果に基づいてそれらの制御パラメータを最適値に収斂させる作業であるが、電源装置の回路構成や制御方法により、制御ソフトウエアやその制御パラメータが異なるため、電源装置の回路構成や制御方法に個々に合わせたパラメータ調整装置が必要となっていた。
【０００７】
例えば、制御ソフトウェアの一部または全部をソフトウェア書込装置により書き換えるときは、電源装置を停止させてからソフトウェアを書き換えるため、調整作業に多大な時間を要する問題があった。
【０００８】
また、手動で回転するボリュームの位置情報をＡＤ（アナログ・デジタル）変換器によりデジタル信号に変換して制御パラメータの値として設定するとき、あるいはデジタル信号処理装置において制御パラメータと電圧信号や電流信号を利用して行われる数値演算過程で導出される観測データをＤＡ（デジタル・アナログ）変換器によりアナログ信号に変換してオシロスコープ等に出力するとき、電源装置に不要なハードウエアを追加する必要があった。
【０００９】
さらに、ＰＣ（パーソナル・コンピュータ）上で動作するシミュレータを用いて制御パラメータを調整するとき、ＰＣやシミュレータなど高価な装置を使用し、電源装置の回路構成や制御方法に合わせて制御モデルを作成する必要があるため、高コストで多大な時間を要する問題があった。また、電源装置の特性を制御モデルに完全に反映させることは難しく、電源装置を実際に動作させて制御パラメータの微調整を行うことが必要になる問題があった。
【００１０】
また、ＰＣ上で動作するシリアル通信を介して電源装置の制御パラメータを設定するソフトウエアを用いて制御パラメータを調整するとき、ＰＣなど高価な装置を必要とし、電源装置の回路構成や制御方法に合わせて前記ソフトウェアを作成する必要があるため、多大な時間を要する問題があった。      
【００１１】
本発明は、上記問題点に鑑みてなされたもので、その目的は、電源装置の制御パラメータ調整作業を、当該の電源装置の回路構成や制御方法に依存せず、且つ迅速安価に実現できるようにした制御パラメータ調整システムを提供することである。
【課題を解決するための手段】
【００１２】
上記課題を解決するために、請求項１にかかる発明の制御パラメータ調整システムは、電圧波形、電流波形をデジタル化した観測データと制御パラメータＲＡＭに保持された制御パラメータとを用いて所定項目の制御量を定めるよう制御される電源装置に付加される、デジタル信号処理装置であって、受信した第１のシリアル通信データビット列のＬ行Ｋ列（Ｌ，Ｋは正の整数）の２次元アドレスを前記電源装置に備えられる前記制御パラメータＲＡＭのアドレスに変換する制御パラメータＲＡＭアドレス変換テーブルを有し、該制御パラメータＲＡＭアドレス変換テーブルで変換された前記制御パラメータＲＡＭのアドレスに、前記第１のシリアル通信データビット列に含まれるデータビットの制御パラメータを書き込むデジタル信号処理装置と、Ｋ個の制御パラメータを個々に任意に調整可能な制御パラメータ入力部と、該Ｋ個の制御パラメータのうちの１又は２以上の有効な制御パラメータを選択し１又は２以上の列番号に割り当てる第１の選択スイッチと、Ｌ通りのうちの１つを行番号として選択する第２の選択スイッチとを備え、前記第１の選択スイッチで選択された前記有効な制御パラメータのうちの１つをデータビットとし、前記第１の選択スイッチで選択された前記有効な制御パラメータのうちの１つに対応する列番号を列番号ビットとし、前記第２の選択スイッチで選択された行番号を行番号ビットとするように、前記第１のシリアル通信データビット列を、前記１又は２以上の有効な制御パラメータについて前記行番号を共通として所定の周期で順次作成して、前記デジタル信号処理装置に送信する制御パラメータ調整装置と、を有することを特徴とする。
請求項２にかかる発明は、請求項１に記載の制御パラメータ調整システムにおいて、前記デジタル信号処理装置は、前記第１のシリアル通信データビット列の前記２次元アドレスにより制御パラメータゲイン値を読み出す制御パラメータＲＡＭデータゲインテーブルと前記２次元アドレスにより制御パラメータオフセット値を読み出す制御パラメータＲＡＭデータオフセットテーブルの少なくとも一方をさらに有し、該読み出された制御パラメータゲイン値と制御パラメータオフセット値の少なくとも一方により、前記第１のシリアル通信データビット列の前記データビットの制御パラメータを加工して、前記制御パラメータＲＡＭの前記アドレスに書き込むことを特徴とする。
請求項３にかかる発明は、請求項１又は２に記載の制御パラメータ調整システムにおいて、前記制御パラメータ調整装置は表示器を備え、前記制御パラメータＲＡＭに書き込まれる制御パラメータが、前記制御パラメータ調整装置に送信されて前記表示器で表示されることを特徴とする。
請求項４にかかる発明は、請求項１、２又は３に記載の制御パラメータ調整システムにおいて、前記デジタル信号処理装置は、前記制御パラメータ調整装置から受信した第２のシリアル通信データビット列の２次元アドレスを前記電源装置に備えられる書き換え可能な制御パラメータＲＯＭのアドレスに変換する制御パラメータＲＯＭアドレス変換テーブルをさらに有し、該制御パラメータＲＯＭアドレス変換テーブルで変換された前記制御パラメータＲＯＭのアドレスに、前記第２のシリアル通信データビット列に含まれるデータビットの制御パラメータを書き込み、前記制御パラメータ調整装置は、前記第１の選択スイッチで選択された前記有効な制御パラメータのうちの１つをデータビットとし、前記第１の選択スイッチで選択された前記有効な制御パラメータのうちの１つに対応する列番号を列番号ビットとし、前記第２の選択スイッチで選択された行番号を行番号ビットとするように、前記第２のシリアル通信データビット列を、前記１又は２以上の有効な制御パラメータについて前記行番号を共通として所定の周期で順次作成して、前記デジタル信号処理装置に送信する、ことを特徴とする。
請求項５にかかる発明は、請求項１、２、３又は４に記載の制御パラメータ調整システムにおいて、前記デジタル信号処理装置は、前記電源装置における演算結果を保持する観測データＲＡＭ用の観測データＲＡＭアドレス変換テーブルをさらに有し、前記制御パラメータ調整装置から受信した第３のシリアル通信データビット列の行番号ビットの行番号を、前記観測データＲＡＭアドレス変換テーブルにより前記観測データＲＡＭのアドレスに変換し、当該アドレスにより前記観測データＲＡＭからＮ個（Ｎは正の整数）の観測データを順次読み出し、第４のシリアル通信データビット列のデータビットとして所定の周期で順次前記制御パラメータ調整装置に送信し、前記制御パラメータ調整装置は、Ｍ通り（Ｍは正の整数）から１つの行番号を選択する第３のスイッチと、Ｎ個の観測データをアナログ信号に変換して出力する出力部を備え、前記第３のスイッチによって選択した行番号を行番号ビットとした前記第３のシリアル通信データビット列を作成して前記デジタル信号処理装置に送信し、前記デジタル信号処理装置から前記第４のシリアル通信データビット列を前記所定の周期で順次受信すると、当該順次受信したＮ個の前記第４のシリアル通信データビット列のデータビットの観測データを前記出力部でアナログ信号に変換してから前記所定の周期で順次外部に出力する、ことを特徴とする。
【発明の効果】
【００１３】
請求項１にかかる発明によれば、電源装置のメモリはそのままとし、当該電源装置のメモリのアドレス変換を行うためのテーブルを設けたデジタル信号処理装置をその電源装置に付加すればよく、そのデジタル信号処理装置とパラメータ調整装置を互いに異なる複数の電源装置に共通に使用することができるため、安価に制御パラメータ調整作業ができる利点がある。この調整の際に、制御パラメータＲＡＭのメモリアドレスを知る必要はない。
【００１４】
また、請求項１にかかる発明によれば、電源装置を停止することなく、例えば手動で回転する複数のボリューム等で制御パラメータを外部調整することができ、このとき、個々の電圧波形や電流波形に影響を与える複数の制御パラメータを所定の周期（例えば１.４４ｍ秒）で順次設定できるため、操作者の感覚ではほぼ同時に個々の電圧波形や電流波形に影響を与える複数の制御パラメータを設定できるため、迅速に制御パラメータ調整作業ができる利点がある。
【００１５】
請求項２にかかる発明によれば、電源装置の制御パラメータＲＡＭを更新する際に、制御パラメータ調整装置から受信した制御パラメータに対してゲインやオフセットによる加工を施してからその更新を行うことが可能となる。その更新内容は、請求項３にかかる発明によって、制御パラメータ調整装置において表示させることができる。
【００１６】
請求項４にかかる発明によれば、電源装置の制御パラメータＲＯＭについても、請求項１，２かかる発明における制御パラメータＲＡＭと同様にその内容を更新することができる。
【００１７】
請求項５にかかる発明によれば、制御パラメータを使用した演算過程で導出される観測データを、電源装置の電圧や電流に影響を与えることなく、制御パラメータ調整装置において、所定の周期（例えば３０マイクロ秒）で、アナログ信号として連続的に取り出すことができるので、これを観測装置で観測することで、電圧や電流の値と期待値との相違を判定できるため、迅速に制御パラメータ調整作業ができる利点がある。
【図面の簡単な説明】
【００１８】
【図１】電源装置に装備されるデジタル信号処理装置の構成を示すブロック図である。
【図２】制御パラメータ調整装置の構成を示すブロック図である。
【図３】シリアル通信データビット列の構成を示す図である。
【発明を実施するための形態】
【００１９】
以下、本発明の１つの実施例の制御パラメータ設定システムについて説明する。図１は電源装置１００に装備されるデジタル信号処理装置２００を示す図、図２はそのデジタル信号処理装置２００に対してシリアル通信により接続される制御パラメータ調整装置３００を示す図、図３はデジタル信号処理装置２００と制御パラメータ調整装置３００の間でシリアル通信されるシリアル通信データビット列４００の構造を示す図である。制御パラメータ設定システムは、デジタル信号処理装置２００と制御パラメータ調整装置３００とで構成される。
【００２０】
＜シリアル通信データビット列４００＞
シリアル通信データビット列４００は、分類ビット４０１、行番号ビット４０２、列番号ビット４０３、データビット４０４で構成される。分類ビット４０１は、シリアル通信データビット列４００が「制御パラメータＲＡＭ更新」、「制御パラメータＲＯＭ第１更新」、「制御パラメータＲＯＭ第２更新」、「観測データＲＡＭ設定」のいずれであるかを示し、行番号ビット４０２および列番号ビット４０３は、２次元配列されたアドレス空間をもつメモリへのアドレス計算を「先頭アドレス＋行番号×１行データ数＋列番号」に簡素化する行番号および列番号である。
【００２１】
＜電源装置１００＞
電源装置１００は、その一部が示されていて、電源装置をデジタル制御する際に用いる制御パラメータを保持する制御パラメータＲＡＭ１０１、制御パラメータの初期値を保持する電気的に書き換え可能な制御パラメータＲＯＭ１０２、デジタル制御の数値演算過程で導出される電圧波形や電流波形等の観測データを保持する観測データＲＡＭ１０３、およびマイクロコンピュータで構成された信号処理部１０４を備える。
【００２２】
信号処理部１０４は、制御パラメータＲＯＭ１０２に保持されている制御パラメータを、電源装置の動作開始時の初期化処理で制御パラメータＲＡＭ１０１に複写し、また、サンプリング周波数で電源装置の電圧波形や電流波形をデジタル化した観測データと制御パラメータＲＡＭ１０１に保持された制御パラメータとを用いて、数値演算により電源装置の所定項目の制御量を定める。また、この信号処理部１０４は、数値演算の過程で導出された観測データを、観測データＲＡＭ１０３に保持する。
【００２３】
＜デジタル信号処理装置２００＞
デジタル信号処理装置２００において、制御パラメータ処理部２０１はシリアル通信データビット列４００の作成と解析とそれらに伴う処理を行う。シリアル通信部２０２は、前記したシリアル通信データビット列４００を用いて制御パラメータ調整装置３００と通信するためのものである。制御パラメータＲＡＭアドレス変換テーブル２０３は、シリアル通信データビット列４００で通信する際に使用する行番号と列番号からなるＬ行Ｋ列（Ｌ，Ｋは正の整数）の２次元アドレスと制御パラメータＲＡＭ１０１のアドレスの変換を行う。制御パラメータＲＯＭアドレス変換テーブル２０４は、シリアル通信データビット列４００で通信する際に使用する行番号と列番号からなるＬ行Ｋ列の２次元アドレスと制御パラメータＲＯＭ１０２のアドレスの変換を行う。制御パラメータＲＡＭデータゲインテーブル２０５は、制御パラメータを制御パラメータＲＡＭ１０１に保持する際に、その制御パラメータのゲイン値を設定する。制御パラメータＲＡＭデータオフセットテーブル２０６は、制御パラメータを制御パラメータＲＡＭ１０１に保持する際に、その制御パラメータのオフセット値を設定する。観測データＲＡＭアドレステーブル２０７は、シリアル通信データビット列４００で通信する際に使用する行番号と列番号からなるＭ行Ｎ列（Ｍ，Ｎは正の整数）の２次元アドレスを、行番号ビットが指す行番号の観測データＲＡＭ１０３のＮ個のアドレスに変換する。観測データアドレスバッファ２０８には、その１行Ｎ列の１次元配列で構成される観測データＲＡＭ１９３のアドレスが書き込まれる。
【００２４】
制御パラメータ処理部２０１は、シリアル通信部２０２を介して制御パラメータ調整装置３００から受信したシリアル通信データビット列４００の分類ビット４０１が、「制御パラメータＲＡＭ更新」を示すときは、制御パラメータＲＡＭアドレス変換テーブル２０３から、そのシリアル通信データビット列４００の行番号ビット４０２と列番号ビット４０３が指す制御パラメータＲＡＭ１０１のアドレスを取得する。また、同様に、Ｌ行Ｋ列の２次元配列で構成された制御パラメータＲＡＭデータゲインテーブル２０５と制御パラメータＲＡＭデータオフセットテーブル２０６から、そのシリアル通信データビット列４００の行番号ビット４０２および列番号ビット４０３が指すゲイン値とオフセット値を取得する。そして、シリアル通信データビット列４００のデータビット４０４のデータ×ゲイン値＋オフセット値を算出して新たな制御パラメータを作成し、その新たな制御パラメータを、制御パラメータＲＡＭ１０１の当該アドレスに書き込み更新する。さらに、データビット４０４を当該新たな制御パラメータで置き換えた新たなシリアル通信データビット列４００を作成して、シリアル通信部２０２を介して、制御パラメータ調整装置３００に送信する。これにより、後記するように、制御パラメータ調整装置３００では、その制御パラメータを表示する。なお、受信した制御パラメータをゲイン値とオフセット値によって加工することなく、そのまま制御パラメータＲＡＭ１０１に書き込む場合もある。
【００２５】
また、制御パラメータ処理部２０１は、シリアル通信部２０２を介して制御パラメータ調整装置３００から受信したシリアル通信データビット列４００の分類ビット４０１が、「制御パラメータＲＯＭ第１更新」を示すときは、制御パラメータＲＡＭアドレス変換テーブル２０３から、そのシリアル通信データビット列４００の行番号ビット４０２と列番号ビット４０３が指す制御パラメータＲＡＭ１０１のアドレスを取得して、制御パラメータＲＡＭ１０１の当該アドレスの制御パラメータを読み出す。また、Ｌ行Ｋ列の２次元配列で構成される制御パラメータＲＯＭアドレス変換テーブル２０４から、制御パラメータＲＯＭ１０２のアドレスを取得する。そして、制御パラメータＲＡＭ１０１の当該アドレスから読み出した制御パラメータを、制御パラメータＲＯＭ１０２の当該アドレスに書き込む。
【００２６】
また、制御パラメータ処理部２０１は、シリアル通信部２０２を介して制御パラメータ調整装置３００から受信したシリアル通信データビット列４００の分類ビット４０１が、「制御パラメータＲＯＭ第２更新」を示すときは、制御パラメータＲＯＭアドレス変換テーブル２０４から、そのシリアル通信データビット列４００の行番号ビット４０２と列番号ビット４０３が指す制御パラメータＲＯＭ１０２のアドレスを取得して、そのシリアル通信データビット列４００のデータビット４０４の制御パラメータを、制御パラメータＲＯＭ１０２の当該アドレスに書き込む。
【００２７】
また、制御パラメータ処理部２０１は、シリアル通信部２０２を介して制御パラメータ調整装置３００から受信したシリアル通信データビット列４００の分類ビット４０１が、「観測データＲＡＭ設定」を示すときは、Ｍ行Ｎ列の２次元配列で構成される観測データＲＡＭアドレス変換テーブル２０７から、シリアル通信データビット列４００の行番号ビット４０２が指す観測データＲＡＭ１０３のＮ個のアドレスを取得し、１行Ｎ列の１次元配列で構成される観測データアドレスバッファ２０８に、そのアドレスを順に書き込む。
【００２８】
続いて、ほぼ３０マイクロ秒周期で、観測データアドレスバッファ２０８の先頭から順に、保持されている観測データＲＡＭ１０３のアドレスを取得し、この取得したアドレスによって、観測データＲＡＭ１０３の当該アドレスの観測データを読み出す。そして、観測データアドレスバッファ２０８の番号（０〜（Ｎ−１））を列番号ビット４０３とし、観測データをデータビット４０４とし、分類ビット４０１を「観測データＲＡＭ設定」とした新たなシリアル通信データビット列４００を作成して、シリアル通信部２０２を介して制御パラメータ調整装置３００に送信する。このように、観測データＲＡＭ１０３のＮ個のアドレスの観測データについて、ほぼ３０マイクロ秒周期で読み出しが繰り返し行われ、Ｎ個分の新たなシリアル通信データビット列４００が順次作成され、順次制御パラメータ調整装置３００に送信される。
【００２９】
以上のように、デジタル信号処理装置２００は、複数種類の電源装置において、その回路構成および制御方法により、制御パラメータが保持される制御パラメータＲＡＭ１０１、制御パラメータＲＯＭ１０２、および観測データが保持される観測データＲＡＭ１０３のアドレスが、電源装置毎に異なるときであっても、それらＲＡＭ、ＲＯＭのアドレス変換テーブル２０３，２０４を作成しておくだけで、それらのＲＡＭ、ＲＯＭのアドレスを含まないシリアル通信データビット列４００の送受信によってアドレスを特定し、制御パラメータＲＡＭ１０１の更新、制御パラメータＲＯＭ１０２の更新、観測データの制御パラメータ調整装置３００への送信を行うことができる。
【００３０】
＜制御パラメータ調整装置３００＞
図２に示した制御パラメータ調整装置３００は、デジタル信号処理装置２００との間でシリアル通信を行うシリアル通信部３０１、シリアル通信データビット列４００の作成と解析とそれらに伴う処理を行う制御パラメータ処理部３０２、制御パラメータを表示する表示器３０３、制御パラメータＲＯＭ１０３の更新を行うとき操作するＲＯＭ書き込み設定スイッチ３０４、ボリュームで外部操作することで最大Ｋ個の制御パラメータを設定できる制御パラメータ入力部３０５、制御パラメータ入力部３０５で設定されたＫ個の内の１又は２以上の有効な制御パラメータを選択するボリューム選択スイッチ３０６、Ｌ通りの内から１つの番号（行番号）を選択する制御パラメータ選択スイッチ３０７、Ｍ通りの内から１つの番号（行番号）を選択する観測データ選択スイッチ３０８、Ｎ個の観測データをＤＡ変換してアナログ信号として出力する観測データ出力部３０９を備える。
【００３１】
制御パラメータ処理部３０２は、制御パラメータ入力部３０５においてＫ個のアナログ信号をＡＤ変換したＫ個の制御パラメータのうちから、ボリューム選択スイッチ３０６によって選択された１又は２以上の有効な制御パラメータを、送信すべき制御パラメータとして決定するとともに、それらの制御パラメータの列番号を決定する。また、制御パラメータ選択スイッチ３０７によってＬ通りの内の１つを選択することで、Ｌ行の内の行番号を決定する。
【００３２】
さて、電源装置１００の制御パラメータＲＡＭ１０１の更新を行うときは、シリアル通信データビット列４００の分類ビット４０１を「制御パラメータＲＡＭ更新」とし、列番号ビット４０３を前記ボリューム選択スイッチ３０６で選択したスイッチで決まる列番号（０〜（Ｋ−１））とし、行番号ビット４０２を前記制御パラメータ選択スイッチ３０７で選択したスイッチで決まる行番号とし、データビット４０４を前記制御パラメータ入力部３０５から取り込まれ且つ前記ボリューム選択スイッチ３０６で特定された制御パラメータとしたシリアル通信データビット列４００が作成され、シリアル通信部３０１を介して、デジタル信号処理装置２００に送信される。このシリアル通信データビット列４００の作成は、ボリューム選択スイッチ３０６で選択された１又は２以上の有効な制御パラメータについて、所定の順序でほぼ１．４４ｍ秒周期で繰り返され、これが順次デジタル信号処理装置２００に送信される。
【００３３】
これにより、デジタル信号処理部２００では、このシリアル通信データビット列４００を受信する毎に、前記したように、データビット４０４の制御パラメータに対して、ゲイン値とオフセット値を加味した加工を行ってから、制御パラメータＲＡＭアドレス変換テーブル２０３で変換された制御パラメータＲＡＭ１０１のアドレスに書き込む。なお、前記したように、その加工を行わずにそのまま書き込むこともある。また、この書き込んだ１又は２以上の制御パラメータは、デジタル信号処理部２００において、シリアル通信データビット列４００のデータビット４０４に組み込まれ、そのシリアル通信データビット列は分類ビットを「制御パラメータＲＡＭ更新」とされて、制御パラメータ調整装置３００に順次送信される。このシリアル通信データビット列４００を順次受信した制御パラメータ調整装置３００は、制御パラメータ処理部３０２によって、データビット４０４の内容を文字列に変換し、表示器２０３に表示する。
【００３４】
また、分類ビット４０１を「制御パラメータＲＯＭ第１更新」とし、行番号ビット４０２を制御パラメータ選択スイッチ３０７のＬ通りの１つの番号とし、列番号ビット４０３をボリューム選択スイッチ３０６のＫ通りの１つの番号としたシリアル通信データビット列４００を作成してデジタル信号処理装置２００に送信される。この送信は、ボリューム選択スイッチ３０６で選択された１又は２以上の有効な制御パラメータについて、所定の順序で前記したほぼ１．４４ｍ秒周期で繰り返される。このシリアル通信データビット列４００を受信したデジタル信号処理装置２００は、前記したように、その行番号ビット４０２の行番号と列番号ビット４０３の列番号を制御パラメータＲＡＭアドレス変換テーブル２０３で変換し、これで得られたアドレスにより制御パラメータＲＡＭ１０１から制御パラメータを読み出し、同様に制御パラメータＲＯＭアドレス変換テーブル２０４で変換して得た制御パラメータＲＯＭ１０２のアドレスに書き込む。この読み出しと書き込みも、所定の順序で前記したほぼ１．４４ｍ秒周期で繰り返される。
【００３５】
また、ＲＯＭ書き込み設定スイッチ２０４が操作されたときは、分類ビット４０１を「制御パラメータＲＯＭ第２更新」とし、データビットをボリューム選択スイッチ３０６で選択した制御パラメータ入力部３０５から入力する制御パラメータとし、行番号ビットを前記ボリューム選択スイッチ３０６で選択したスイッチの行番号とし、列番号ビットを前記制御パラメータ選択スイッチ３０７で選択したスイッチの列番号としたシリアル通信データビット列４００が作成され、シリアル通信部２０１を介して、デジタル信号処理装置２００に送信される。このシリアル通信データビット列４００の送信は、ボリューム選択スイッチ３０６で選択された１又は２以上の有効な制御パラメータについて、所定の順序で前記したほぼ１．４４ｍ秒周期で繰り返される。
【００３６】
これにより、デジタル信号処理装置２００では、このシリアル通信データビット列４００を受信する毎に、前記したように、前記行番号と前記列番号を制御パラメータＲＯＭアドレス変換テーブル２０４で変換した制御パラメータＲＯＭのアドレスに、データビットの制御パラメータが書き込まれる。
【００３７】
また、分類ビット４０１を「観測データＲＡＭ設定」とし、行番号ビット４０２を観測データ選択スイッチ３０８でＭ通りのうちから選択した１つの行番号としたシリアル通信データビット列４００を作成してデジタル信号処理装置２００に送信すると、前記したようにデジタル信号処理装置２００からほぼ３０マイクロ秒の周期で合計Ｎ個の観測データが、Ｎ個のシリアル通信データビット列４００として受信され、観測データ出力部３０９でアナログ信号に変換されて出力され、オシロスコープ等の観測装置で観測可能となる。
【００３８】
以上のように、制御パラメータ調整装置３００は、複数種類の電源装置において、その回路構成および制御方法に依存することなく、同じ構成で、外部操作によりアナログ信号を入力して、電源装置１００の制御パラメータＲＡＭ１０１や制御パラメータＲＯＭ１０２の制御パラメータを更新したり、観測データＲＡＭ１０３の内容をそのアドレスの１行分にわたって受信してアナログ信号に変換して出力することができる。
【符号の説明】
【００３９】
１００：電源装置、１０１：制御パラメータＲＡＭ、１０２：制御パラメータＲＯＭ、１０３：観測データＲＡＭ、１０４：信号処理部
２００：デジタル信号処理部、２０１：制御パラメータ処理部、２０２：シリアル通信部、２０３：制御パラメータＲＡＭアドレス変換テーブル、２０４：制御パラメータＲＯＭアドレス変換テーブル、２０５：制御パラメータＲＡＭデータゲインテーブル、２０６：制御パラメータＲＡＭデータオフセットテーブル、２０７：観測データＲＡＭアドレス変換テーブル、２０８：観測データアドレスバッファ
３００：制御パラメータ調整装置、３０１：シリアル通信部、３０２：制御パラメータ処理部、３０３：表示部、３０４：ＲＯＭ書込設定スイッチング、３０５：制御パラメータ入力部、３０６：ボリューム選択スイッチ、３０７：制御パラメータ選択スイッチ、３０８：観測データ選択スイッチ、３０９：観測データ出力部
４００：シリアル通信データビット列、４０１：分類ビット、４０２：行番号ビット、４０３：列番号ビット、４０４：データビット
【図１】
2014225991.tif 000003
【図２】
2014225991.tif 000004
【図３】
2014225991.tif 000005